(57)【要約】【課題】  荷受人が不在でも荷物を建物内に安心して搬入させることを可能にすること。【解決手段】  建物の内外を仕切るドアを遠隔制御により解錠施錠可能な鍵部１０１と、建物への進入及び建物からの退出を検知するセンサ１０３と、建物内外を監視するカメラ１０５と、を備え、建物への進入が許可された来訪者が建物に進入したことをセンサ１０３で検知したときに鍵部１０１を施錠操作し、来訪者が所定の要件の実行を完了したことをカメラ１０５を用いて判断したときに鍵部１０１を解錠操作し、来訪者が建物から退出したことをセンサ１０３で検知したときに鍵部１０１を施錠操作するように制御する。【選択図】図１
2018091117.tif 000002
【特許請求の範囲】
【請求項１】
建物の内外を仕切るドアを遠隔制御により解錠施錠可能な鍵手段と、
前記建物への進入及び前記建物からの退出を検知する検知手段と、
前記建物の内外を監視する監視手段と、
前記建物の外を監視する監視手段の出力に基いて前記建物への進入が許可された来訪者が前記建物に進入したことを前記検知手段で検知したときに前記鍵手段を施錠操作し、前記建物に進入した来訪者が所定の要件の実行を完了したことを前記監視手段の出力に基いて判断したときに前記鍵手段を解錠操作し、前記建物から来訪者が退出したことを前記検知手段で検知したときに前記鍵手段を施錠操作する制御手段と、
を備える防犯施錠システム。
【請求項２】
前記制御手段は、来訪者が建物内に滞留できる予め設定した時間、来訪者の動き、及び要件の実行を完了したことを示す来訪者の意思表示の組み合わせに基いて来訪者が所定の要件の実行を完了したことを判断する、請求項１に記載の防犯施錠システム。
【請求項３】
前記制御手段は、来訪者が所定の要件以外の実行を検知したときは、前記鍵手段の解錠操作を禁止する、請求項１または２に記載の防犯施錠システム。
【請求項４】
建物の内外を仕切るドアを遠隔制御により解錠施錠可能な鍵手段と、前記建物への進入及び前記建物からの退出を検知する検知手段と、とを備える防犯施錠システムを制御するプログラムであって、コンピュータを、
前記建物の外を監視する監視手段の出力に基いて前記建物への進入が許可された来訪者が前記建物に進入したことを前記検知手段で検知したときに前記鍵手段を施錠操作する手段、
前記建物に進入した来訪者が所定の要件の実行を完了したことを前記監視手段の出力に基いて判断したときに前記鍵手段を解錠操作する手段、
前記建物から来訪者が退出したことを前記検知手段で検知したときに前記鍵手段を施錠操作する手段、
として機能させるプログラム。
【請求項５】
さらに、来訪者が建物内に滞留できる予め設定した時間、来訪者の動き、及び要件の実行を完了したことを示す来訪者の意思表示の組み合わせに基いて来訪者が所定の要件の実行を完了したことを判断する手段を備えるプログラム。
【請求項６】
さらに、来訪者が所定の要件以外の実行を検知したときは、前記鍵手段の解錠操作を禁止する手段を備えるプログラム。
【請求項７】
請求項４から６の何れか一項に記載のプログラムを実行する情報端末。
【請求項８】
請求項４から６の何れか一項に記載のプログラムを実行するサーバ装置。
【発明の詳細な説明】
【技術分野】
【０００１】  本発明は、建物に対する防犯施錠システムに関する。
【背景技術】
【０００２】  インターネット通販で購買する人が増えたことにより、近年では宅配荷物の扱い量が急激に増えている。宅配業者が抱える問題の一つは、荷受人が不在の場合の再配達であるが、宅配荷物の扱い量が増えたことにより、再配達の件数も急激に増え、配送効率の低下を招いている。【０００３】  再配達による配送効率の低下を回避する方法の一つに、いわゆる宅配ロッカーを利用する方法がある（例えば特許文献１参照）。宅配ロッカーは、荷受人が不在のときでも荷物の受取を可能にする設備である。宅配ロッカーを利用することにより、再配達の回数を減らすことができ、配送効率の効率を上げることができる。
【先行技術文献】
【特許文献】
【０００４】
【特許文献１】特開２００２−１７７１２７号公報
【発明の概要】
【発明が解決しようとする課題】
【０００５】  宅配ロッカーは、荷受人が不在のときでも荷物の受取を可能にする点で優れているが、以下のような課題がある。すなわち、宅配ロッカーが設置されている場所と建物とが離れているため、宅配ロッカーに重量物が収納された場合は、荷受人一人では荷物の搬送ができない場合がある。【０００６】  重量のある荷物の受取人は荷物を建物内に搬送してもらうことを望んでいるが、荷受人が不在の状態では防犯上の問題から荷物を建物内に運ぶことは現実的ではない。【０００７】本発明は上記課題を解決するためになされたもので、荷受人が不在でも荷物を建物内に安心して搬入させることを可能にすることを目的とする。
【課題を解決するための手段】
【０００８】  本発明の防犯施錠システムは、建物の内外を仕切るドアを遠隔制御により解錠施錠可能な鍵手段と、前記建物への進入及び前記建物からの退出を検知する検知手段と、前記建物の内外を監視する監視手段と、前記建物の外を監視する監視手段の出力に基いて前記建物への進入が許可された来訪者が前記建物に進入したことを前記検知手段で検知したときに前記鍵手段を施錠操作し、前記建物に進入した来訪者が所定の要件の実行を完了したことを前記監視手段の出力に基いて判断したときに前記鍵手段を解錠操作し、前記建物から来訪者が退出したことを前記検知手段で検知したときに前記鍵手段を施錠操作する制御手段と、を備える。【０００９】  なお、前記制御手段は、来訪者が建物内に滞留できる予め設定した時間、来訪者の動き、及び要件の実行を完了したことを示す来訪者の意思表示の組み合わせに基いて来訪者が所定の要件の実行を完了したことを判断するようにしても良い。この構成によれば、来訪者が所定の要件の実行を完了したことの判断の精度を上げることができる。【００１０】  また、前記制御手段は、来訪者が所定の要件以外の実行を検知したときは、前記鍵手段の解錠操作を禁止するようにしても良い。この構成によれば、解錠操作を禁止する割り込み条件を設定することでセキュリティを向上させることができる。
【発明の効果】
【００１１】  本発明の防犯施錠システムによれば、建物に進入した来訪者が建物から退出するための解錠を来訪者が所定の要件の実行の完了を条件にしているため、来訪者が建物に進入したあとに荷物の搬入などの所定の要件以外の行為をしたような場合は解錠して建物から退出することができなくなるため、荷受人が不在の建物に進入する配送業者が荷物の搬入などの所定の要件以外の行為をしたような場合に対応でき、これにより荷受人が不在でも荷物を建物内に安心して搬入させることが可能となる。
【図面の簡単な説明】
【００１２】
【図１】  本発明の実施の形態の防犯施錠システムを構成する錠装置の構成を示すブロック図である。
【図２】  本発明の実施の形態の防犯施錠システムを構成する情報端末の構成を示すブロック図である。
【図３】  本発明の実施の形態の防犯施錠システムで行われる処理の流れを示すフローチャートである。
【図４】  本発明の実施の形態の防犯施錠システムで行われる処理の流れを示すフローチャートである。
【図５】  本発明の実施の形態の防犯施錠システムを構成する情報端末に表示される着信画面の構成を示す図である。
【図６】  本発明の実施の形態の防犯施錠システムを構成する情報端末に表示されるメイン画面の構成を示す図である。
【図７】  本発明の実施の形態の防犯施錠システムを構成する情報端末に表示される設定画面の構成を示す図である。
【図８】  本発明の実施の形態の防犯施錠システムを構成する情報端末に表示されるステータスを説明する図である。
【図９】  本発明の実施の形態の防犯施錠システムを構成する情報端末に表示されるステータスを説明する図である。
【発明を実施するための最良の形態】
【００１３】以下、本発明の実施の形態を図１から図６を参照して説明する。【００１４】  図１は、本発明の防犯施錠システムを構成する錠装置１００の構成を示すブロック図である。錠装置１００は、建物の内外を仕切るドアを遠隔制御により解錠施錠可能な鍵部１０１と、建物への進入及び建物からの退出を検知する検知手段であるセンサ１０３と、建物内外を監視する監視手段を構成するカメラ１０５と、建物の内外を仕切るドアの開閉を検出する開閉センサ１０７と、スピーカ・マイク１０９と、後述する「要件完了お知らせボタン」などの操作を行う入力部１１１と、後述する「カウントダウン時計」などを表示する表示部１１３と、錠装置１００を制御する主制御部１１５と、錠装置１００と図２に示す情報端末２００とを無線ネットワークを介して接続する通信部１１７とを備える。主制御部１１５はセンサ１０３、カメラ１０５、開閉センサ１０７の検知結果に基いて鍵部１０１の開錠施錠操作を制御する。【００１５】  図２は、本発明の防犯施錠システムを構成する情報端末２００の構成を示すブロック図である。情報端末２００は、カメラ２０１と、スピーカ２０３と、マイク２０５と、錠装置１００のカメラ１０５をスクロールするスクロール制御部２０７と、錠装置１００の鍵部１０１の解錠施錠を制御する鍵制御部２０９と、入力部２１１と、表示部２１３と、情報端末２００を制御する主制御部２１５と、情報端末２００と図１に示す錠装置１００とを無線ネットワークを介して接続する通信部２１７とを備える。【００１６】  情報端末２００を用いて防犯施錠システムを実施するために必要な各種の設定を行うことができる。図７は設定画面７００を示している。設定画面７００は、選択したセキュリティ範囲を表示する画面７０１と、選択可能なセキュリティ範囲を表示する画面７０３と、各種時間回数を設定する画面７０５とを備える。選択可能なセキュリティ範囲は、センサ１０３やカメラ１０５が設置されている場所に対応している。例えば、玄関内側、ベランダ、リビング、通路、台所、トイレ、浴室、寝室１、寝室２、立ち入り禁止エリア１、立ち入り禁止エリア２、立ち入り禁止３がセキュリティ範囲として選択可能である。【００１７】  セキュリティ範囲を設定するときは、画面７０３に表示されている複数のセキュリティ範囲から１または複数の任意のセキュリティ範囲を選択し、選択したセキュリティ範囲を画面７０１にドラッグして行う。図７では、玄関ドア内側カメラ７０７を選択した状態、及びベランダセンサ７０９を選択しようとしている状態を示している、全てのセキュリティ範囲を選択設定する場合は、「全選択」を選択して、画面７０１にドラッグする。【００１８】  画面７０５で設定する時間回数は、「カメラ異常検知時間」、「閉扉後自動施錠時間」、「開扉許容時間」、「来訪者ドアホン拒否回数」、「拒否後再開時間」、「開扉後自動アナウンス回数」、「滞留許可時間」、「警報モードアナウンス回数」、「パトロールモード送信リードタイム」である。【００１９】  「カメラ異常検知時間」は、来訪者の画像がカメラの所定の撮影領域から一定時間外れた場合に異常であると判断するための時間である。「閉扉後自動施錠時間」は、ドアが閉じた後に自動的に施錠するまでの時間である。「開扉許容時間」は、ドアが開いたままの状態で許容できる時間である。【００２０】  「来訪者ドアホン拒否回数」は、来訪者がドアホンを所定回数操作したときに以降の着信を拒否する回数である。「拒否後再開時間」は、来訪者がドアホンを所定の回数操作し、着信拒否後、着信を再開させるまでの時間である。「開扉後自動アナウンス回数」は、来訪者がドアを開けたあとに再生するアナウンスの回数である。【００２１】  「滞留許可時間」は、来訪者の滞留を許可する時間である。「警報モードアナウンス回数」は、警報モードが起動したときに再生するアナウンスの回数である。「パトロールモード送信リードタイム」は、後述するパトロールモードに切り替わるまでの時間である。【００２２】  図３及び図４は、本発明の実施の形態の防犯施錠システムの処理の流れを説明するフローチャートである。本発明の実施の形態の防犯施錠システムは、マニュアルモード、自動モード、警報モード及び監視モードに基いて処理を実行する。【００２３】  マニュアルモードは、情報端末に表示される来訪者の画像に基いて、解錠施錠の操作をマニュアルで行うモードである。自動モードは、来訪者の動きを検出しながら、来訪者が所定の要件以外の違反行為を検知するプログラムに従い、解錠施錠の操作を自動的に行うモードである。警報モードは、来訪者が違反行為をしたときに起動するモードである。パトロールモードは、来訪者がいないときに建物内をパトロールするモードである。【００２４】  来訪者が操作したドアホンを検知すると（Ｓ３０１）、情報端末２００のスピーカ２０３から着信音が出力され、表示部２１３に着信画面が表示される。【００２５】  図５は情報端末２００の表示部２１３に表示される着信画面５００の構成を示している。着信画面５００は、来訪者を検知したことをテキスト形式で表示するテキスト表示部５０１と、来訪者の着信に応答する応答ボタン５０３と、来訪者の着信を拒否する拒否ボタン５０５とを備える。【００２６】  図３に戻り、応答ボタン５０５が操作されると（Ｓ３０５：Ｙｅｓ）、情報端末２００の表示部２１３にメイン画面が表示され、カメラ１０５が作動開始し、通話モードがオンに移行する（Ｓ３０７）。拒否ボタン５０３が操作されると（Ｓ３０５：Ｎｏ）、Ｓ３０３に戻る。拒否ボタン５０３が予め設定した回数Ｎ回操作されるとプログラムは強制終了する。【００２７】  プログラムが強制終了すると、所定の時間Ｘ分間、着信音は停止する。回数Ｎ及び時間Ｘは任意に設定可能である。なお、拒否ボタン５０３を操作すると錠装置１００のカメラ１０５は作動開始し、カメラ１０５で撮影された来訪者の画像が情報端末２００の表示部２１３に表示される。拒否ボタンが５０３が操作されても通話モードは起動しない。拒否ボタン５０３が操作されたときは、来訪者との通話はできず、来訪者の画像が表示されるのみである。【００２８】  図６は情報端末２００の表示部２１３に表示されるメイン画面６００の構成を示している。メイン画面６００は、錠装置１００のカメラ１０５で撮影された画像が表示されるとともに、情報端末２００のスクロール制御部２０７を制御して表示される画像をスクロールするスクロール制御部６０１と、通話音量を制御する通話量制御部６０３と、錠装置１００の解錠施錠状態を示すドア状態表示部６０５と、情報端末２００のバッテリー残量を示すバッテリー残量表示部６０７と、リセット部６０９と、錠装置１００の鍵部１０１に対して強制施錠を指示する強制施錠部６１１と、錠装置１００の鍵部１０１に対して解錠を指示する解錠部６１３と、応答又は拒否を指示する応答／拒否部６１５と、防犯施錠システムの現在のステータスを表示するステータス表示部６１７と、マニュアルモード、自動モード、警報モード、パトロールモードを切り替える監視モード切替部６１９と、滞留許可時間を表示する滞留許可時間表示部６２１と、警報起動時間を表示する警報起動時間表示部６２３と、を備える。【００２９】  図８及び図９を参照してステータス表示部６１７に表示されるステータスについて説明する。８０１から８１３及び９０１から９１３に示す各ステータスがステータス表示部６１７に切り替え表示される。各ステータスは、図中右側のモードが選択されているときに表示可能である。【００３０】  各ステータスについて説明する。以降の説明において来訪者の動き、ドアの開閉状態、解錠施錠状態は、それぞれカメラやセンサを用いて検知する。「来訪者玄関進入前」８０１は、来訪者が玄関の外にいるときに表示されるステータスである。「解錠・玄関侵入前」８０３は、解錠しているがドアは開いておらず、来訪者が玄関に進入する前のときに表示されるステータスである。【００３１】  「解錠・玄関進入」８０５は、解錠しドアが開けられ、来訪者が玄関に進入したときに表示されるステータスである。「要件進行中・非施錠｜「ドアを閉めてください」」８０７は、玄関ドアが開いたままの状態で来訪者の要件が進行しているときに表示されるステータスである。「要件進行中・施錠済」８０９は、玄関ドアが閉まり施錠された状態で来訪者が要件を進行しているときに表示されるステータスである。【００３２】  「滞留許可時間超過｜警報モード起動中」８１１は、来訪者が建物内で滞留することができる時間を示す滞留許可時間が超過し、かつ来訪者が要件を完了したことを知らせるための「要件完了ボタン」が操作されていないときに表示されるステータスである。このステータスが表示されているときは自動的に切り替えられた警報モードが起動している。警報モードからマニュアルモードへの手動切り替え、または警報モードから自動モードへの手動切り替えが可能である。「滞留許可時間延長｜要件進行中」８１３は、滞留許可時間を延長したときに表示されるステータスである。【００３３】  「要件違反検出｜警報モード起動中」９０１は、来訪者の要件違反行為を検出し、警報モードが起動しているときに表示されるステータスである。このステータスが表示されているときは自動的に切り替えられた警報モードが起動している。要件違反違が検出されたときは、滞留許可時間内であっても警報モードが起動する。警報モードからマニュアルモードへの手動切り替え、または警報モードから自動モードへの手動切り替えが可能である。【００３４】  「来訪者室内滞留中｜強制施錠中」９０３は、強制施錠されているときに表示されるステータスである。「要件完了・安全退出｜自動施錠中」９０５は、「要件完了ボタン」が操作されたときに表示されるステータスである。このステータスは、滞留許可時間内であり、かつ要件違反が検出されていないときに表示される。【００３５】  「要件完了退室許可待｜警報モード起動中」９０７は、「要件完了ボタン」が操作されたときに表示されるステータスである。このステータスが表示されているときは自動的に切り替えられた警報モードが起動している。このステータスは、滞留許可時間を超過したか、または要件違反を検出したときに表示される。警報モードからマニュアルモードへの手動切り替え、または警報モードから自動モードへの手動切り替えが可能である。【００３６】  「解錠・退出中」９０９は、解錠され、来訪者が退出しているときに表示されるステータスである。「安全施錠済み｜来訪者退出済み」９１１は、施錠されたときに表示されるステータスである。このステータスが表示されているときはマニュアルモード、自動モード、または警報モードが起動している。マニュアルモード、自動モード、または警報モードからパトロールモードに切り替えることが可能である。【００３７】  「パトロールモード起動中」９１３はパトロールモードが起動しているときに表示されるステータスである。このステータスが表示されているときに起動しているパトロールモードから、警報モード、マニュアルモード、自動モードへの切り替えが可能である。【００３８】  図３に戻り、情報端末２００のメイン画面６００のスクロール制御部６０１に錠装置１００のカメラ１０５で撮影された画像が表示され、来訪者の音声が出力される（Ｓ３０９）。カメラ１０５は、建物に進入する来訪者と建物に進入した来訪者を監視可能な位置に設置される。ドアの内側に設置する他、ドアの外側及び建物内の各部屋など複数箇所に設置し、これら複数のカメラで撮影された画像が選択的に又は同時に表示される。なお、通話モードが起動しているので、必要に応じて来訪者との通話も可能である。なお、カメラとともに又はカメラに代えて人感センセを設置するようにしても良い。【００３９】  スクロール制御部６０１に表示された来訪者の画像を確認し、来訪者が建物へ進入することを許可する場合は、情報端末のユーザはメイン画面６００の解錠部６１３にパスワードを入力し解錠操作を行う。パスワードが入力されると、パスワード及び予め設定された本人照合情報に基いて認証処理が行われ、認証が成功するとドアが解錠する（Ｓ３１１）。【００４０】  パスワードはアプリケーションで生成されるワンタイムパスワードシステムを利用することができる。認証処理は、鍵端末１００や情報端末２００の主制御部で実行する他、ネットワークに設置されたサーバで実行することもできる。なお、メイン画面６００の応答／拒否部６１５で拒否ボタンが操作されると（Ｓ３１１：Ｎｏ）、Ｓ３０３の処理に戻る。【００４１】  解錠したドアを来訪者が開けたことを錠装置１００の開閉センサ１０７で検知すると（Ｓ３１３：Ｙｅｓ）、メイン画面６００のドア状態表示部６０５に解錠状態であることが表示される。このとき、ドアの内側に設置されたカメラで撮影された画像がメイン画面６００のスクロ���ル制御部６０１に表示される。【００４２】  来訪者がドアを開け来訪者の入室を検知すると（Ｓ３１４：Ｙｅｓ）ると、「要件完了後に「要件完了お知らせボタン」を押して退出してください」など、来訪者が要件完了後に行う動作の内容を示すアナウンスが流れる。また、「部屋に滞留できる時間は「カウントダウン時計」に表示されています。カウントダウン時計が０になる前に退出して下さい」など、要件が完了した後は速やかに退出を促すようなアナウンスが流れる。さらに、「あなたの行動は全て録画されています。要件以外の行動は行わないで下さい」など、荷物の搬入など来訪者が所定の要件以外の行動を実行しないように忠告するアナウンスが流れる。これらアナウウンスの内容、回数は予め設定されている。また必要に応じてアナウンスの内容を変更することができる。アナウンスを流す回数は情報端末２００上で設定することができる。【００４３】  ドアが閉じたことを検知すると（Ｓ３１５：Ｙｅｓ）、鍵部１０１は施錠され、メイン画面６００のドア状態表示部６０５に施錠状態であることが表示される。さらにドア内側のカメラで撮影した画像がスクロール制御部６０１に表示される。ドアが閉じられると、来訪者が自由自在に解錠することができなくなる。解錠が可能になる時機は、来訪者が所定の要件の実行を完了したあとに、来訪者が「要件完了お知らせボタン」を操作した場合、または情報端末２００の解錠部６１３が操作されたときである。【００４４】  次にカウントダウン時計を作動させて来訪者が要件を実行している時間を計測する（Ｓ３１７）。カウントダウン時計の設定時間は作動中でも延長することができる。例えば大きく重い荷物を扱う場合など、来訪者が要件を完了するまでの時間が長くなるようなときは状況に応じてカウントダウン時間を延長設定する。【００４５】  次に来訪者が要件違反行為を実行しているか否かを判断する（Ｓ３１９）。自動モードが設定されているときにおいて、要件違反行為を実行している否かの判断は、滞留許容時間と来訪者の動きに基いて行われる。すなわち、来訪者が建物内に滞留している時間が滞留許可時間内であり、かつが来訪者の動きが予め設定した範囲内にある場合は要件違反行為ではないと判断する。【００４６】  来訪者が建物内に滞留している時間が滞留許可時間を超える場合、または、来訪者の動きが予め設定した範囲以外の場合は、要件違反行為であると判断する。来訪者の動きの検出は、来訪者の画像が予め設定した撮影範囲内で一定期間（任意に設定可能）確認できない場合は、来訪者の動きが予め設定した範囲内にないと判断する。または、建物内で来訪者が立ち入ることを禁止するエリアに設置したカメラや人感センサが来訪者を検知した場合は来訪者の動きが予め設定した範囲内にないと判断する。【００４７】  マニュアルモードが設定されているときにおいて、要件違反行為を実行しているか否かの判断は、情報端末２００の表示部２１３に表示される監視画像に基いて判断する。例えば、不審な様子を発見した場合は、音声通話により勧告や警告を行い、来訪者が勧告や警告に従わなかった場合に要件違反行為が実行されていると判断する。【００４８】  来訪者が要件違反行為を実行していないと��断した場合は（Ｓ３１９：Ｙｅｓ）、来訪者が要件を完了したか否かを「要件完了お知らせボタン」の操作の有無に基いて判断する（Ｓ３２１）。【００４９】  上述のようにＳ３１９及びＳ３２１において、来訪者が所定の要件の実行を完了したか否かを、来訪者が建物内に滞留できる予め設定した滞留許可時間、来訪者の動き、及び要件の実行を完了したことを示す来訪者の意思表示である「要件完了お知らせボタン」の操作の有無の組み合わせに基いて判断することができる。【００５０】  Ｓ３１５において、来訪者がドアを開けたまま建物内に進行し（Ｓ３１５：Ｎｏ）、所定時間が経過するまではＳ３２１へジャンプし来訪者要件完了の検知を待つ（Ｓ３２３：Ｎｏ）。所定時間が経過してもドアが開いている場合（Ｓ３２３：Ｙｅｓ）、後述する警報モードが起動する。なお、警報モードが起動する前に来訪者にドアを閉めるように注意喚起するようにしても良い。警報モードを起動させるまでの所定時間は情報端末２００を用いて任意に設定することができる。【００５１】  来訪者が「要件完了お知らせボタン」を操作して来訪者の要件完了を検知すると（Ｓ３２１：Ｙｅｓ）、情報端末２００のステータス表示部６１７に「要件完了安全退室」（図９参照）が表示される（Ｓ４０１）。その後、錠装置１００の鍵部１０１が作動して解錠される。【００５２】  次に解錠を検知し（Ｓ４０３：Ｙｅｓ）、開扉を検知すると（Ｓ４０５：Ｙｅｓ）、情報端末２００のドア状態表示部６０５に解錠状態であることが表示される。来訪者がドアを開けたことが検知され（Ｓ４０５：Ｙｅｓ）、次にドアを閉めたことが検知されると（Ｓ４０７：Ｙｅｓ）、鍵部１０１が施錠を行う。施錠されていると判断した場合（Ｓ４０９：Ｙｅｓ）、情報端末２００の表示部２１３に表示される画像や人感センサに基いて建物内に来訪者がいないと判断したときは（Ｓ４１１：Ｙｅｓ）、処理を終了する。【００５３】  Ｓ３２３で所定時間が経過してもドアが開いていると判断したとき、Ｓ４０３で解錠を検知しないと判断したとき、Ｓ４０９で施錠がされていないと判断したとき、Ｓ４１１で建物内に来訪者がいると判断したときは、警報モードを起動する（Ｓ４１３）。警報モードは、来訪者が所定の要件以外の実行を検知したときを想定して解錠を禁止するモードである。情報端末２００のステータス表示部６１７には警報モードが起動していることが表示される。なお、警報モードを任意に解除することも可能である。【００５４】  警報モードが起動すると、錠装置１００のスピーカ・マイク１０９から警報メッセージが再生される（Ｓ４１５）。警報メッセージの内容は、「直ちに「要件完了お知らせボタン」を押して退出して下さい。あなたの行動は全て録画されています。警備員が来ます」など、来訪者に退出を促すためのメッセージである。警報メッセージの内容は情報端末２００を用いて適宜変更可能である。次に「要件完了お知らせボタン」の操作が検知され（Ｓ４１７：Ｙｅｓ）、解錠が検知されるとさ（Ｓ４１９：Ｙｅｓ）、Ｓ４０５の処理へ戻る。【００５５】  上記処理を終えると、自動モードはパトロールモードに移行する。なお、カメラや人感センサが人の動きを検出すると警報モードに移行する。警報モードに移行すると、情報端末２００に着信通知する。パトロールモードを起動させておくことにより、ドアホンを操作しないで建物内に侵入したり、ドアを破り又は窓から侵入する場合のセキュリティ対策を行うことができる。【００５６】  以上説明した実施の形態は、来訪者が訪問し建物に進入して荷物の搬入などの要件を実行する場合について説明した。この他にも、地震センサや火災センサなどを検知する災害センサを設置し、若しくは地震や火災や津波などの自然災害の発生情報を外部から取得し、これらの災害が発生した場合に自動的に解錠するように設定するモードを備えるようにしても良い。【００５７】  本発明の実施の形態の防犯処理システムにおける各処理は、錠装置１００の主制御部１１５や情報端末２００の主制御部２１５がプログラムの実行により行う他、ネットワーク上に設置されたサーバ装置が行っても良い。
【産業上の利用可能性】
【００５８】  不在時に建物内に荷物を搬入する場合の他、介護に必要がない動きを介護員が行った場合など、建物内に進入する者の動きを監視するような用途に利用可能である。
【符号の説明】
【００５９】１００  錠装置
１０１  鍵部
１０３  センサ
１０５  カメラ
１０７  開閉センサ
１０９  スピーカ・マイク
１１１  入力部
１１３  表示部
１１５  主制御部
１１７  通信部
２００  情報端末
２０１  カメラ
２０３  スピーカ
２０５  マイク
２０７  スクロール制御部
２０９  鍵制御部
２１１  入力部
２１３  表示部
２１５  主制御部
２１７  通信部
５００  着信画面
５０１  テキスト表示部
５０３  応答ボタン
５０５  拒否ボタン５０５
６００  メイン画面
６０１  スクロール制御部
６０３  通話量制御部
６０５  ドア状態表示部
６０７  バッテリー残量表示部
６０９  リセット部
６１１  強制施錠部
６１３  解錠部
６１５  応答／拒否部
６１７  ステータス表示部
６１９  監視モード切替部
６２１  滞留許可時間表示部
６２３  警報起動時間表示部
７００  設定画面
【図１】
2018091117.tif 000003
【図２】
2018091117.tif 000004
【図３】
2018091117.tif 000005
【図４】
2018091117.tif 000006
【図５】
2018091117.tif 000007
【図６】
2018091117.tif 000008
【図７】
2018091117.tif 000009
【図８】
2018091117.tif 000010
【図９】
2018091117.tif 000011